(57)【要約】      （修正有）【課題】冷却性能を向上させた場合でも、冷却手段が大型化せず、送風装置による騒音が増大しないプロジェクターを提供する。【解決手段】冷却対象を備えるプロジェクターであって、光を射出する光源装置と、光源装置からの光を画像信号に応じて変調する光変調装置と、光変調装置により変調された光を投射する投射光学装置と、冷媒が気体へ変化することで冷却対象を冷却する冷却装置と、冷却対象を内部に収容する防塵ケース９０と、を備え、冷却装置は、冷媒を生成する冷媒生成部と、生成された冷媒を冷却対象に向けて伝送する冷媒伝送部５０と、を有し、防塵ケースを構成する壁部の一部は、防塵性を有しつつ防塵ケースの内部と外部との間で冷媒を透過させる冷媒透過部９２であることを特徴とする。【選択図】図１０
2020149006.tif 000002
【特許請求の範囲】
【請求項１】
冷却対象を備えるプロジェクターであって、
光を射出する光源装置と、
前記光源装置からの光を画像信号に応じて変調する光変調装置と、
前記光変調装置により変調された光を投射する投射光学装置と、
冷媒が気体へ変化することで前記冷却対象を冷却する冷却装置と、
前記冷却対象を内部に収容する防塵ケースと、
を備え、
前記冷却装置は、
前記冷媒を生成する冷媒生成部と、
生成された前記冷媒を前記冷却対象に向けて伝送する冷媒伝送部と、
を有し、
前記防塵ケースを構成する壁部の一部は、防塵性を有しつつ前記防塵ケースの内部と外部との間で前記冷媒を透過させる冷媒透過部であることを特徴とするプロジェクター。
【請求項２】
前記冷媒透過部は、多孔質部材製である、請求項１に記載のプロジェクター。
【請求項３】
前記冷媒生成部は、
回転する吸放湿部材と、
第１領域に位置する前記吸放湿部材の部分に空気を送る第１送風装置と、
前記冷媒伝送部に接続された熱交換部と、
前記第１領域と異なる第２領域に位置する前記吸放湿部材の部分を加熱する加熱部と、
前記吸放湿部材における前記加熱部によって加熱された部分の周囲の空気を前記熱交換部に送る第２送風装置と、
を有し、
前記熱交換部は、冷却されることで前記熱交換部に流入した空気から前記冷媒を生成する、請求項１または２に記載のプロジェクター。
【請求項４】
前記第１領域に位置する前記吸放湿部材の部分は、前記防塵ケースの外部において前記冷媒透過部と間隔を空けて対向している、請求項３に記載のプロジェクター。
【請求項５】
前記第１送風装置は、前記第１領域に位置する前記吸放湿部材の部分を通過させた後の空気を前記冷媒透過部の外側面に送る、請求項３または４に記載のプロジェクター。
【請求項６】
前記第１送風装置は、前記冷媒透過部の外側面に接触した後の空気を前記第１領域に位置する前記吸放湿部材の部分に送る、請求項３から５のいずれか一項に記載のプロジェクター。
【請求項７】
前記冷媒透過部の外側面に空気を送る外側送風装置を備える、請求項１から６のいずれか一項に記載のプロジェクター。
【請求項８】
前記防塵ケースの内部の湿度に基づいて、前記冷媒透過部の外側面に送る空気の量を調整する制御部を備える、請求項５から７のいずれか一項に記載のプロジェクター。
【請求項９】
前記冷媒生成部は、
第１領域に位置する部分が前記防塵ケースの外部において前記冷媒透過部と間隔を空けて対向し、かつ、回転する吸放湿部材と、
前記冷媒伝送部に接続された熱交換部と、
前記第１領域と異なる第２領域に位置する前記吸放湿部材の部分を加熱する加熱部と、
前記吸放湿部材における前記加熱部によって加熱された部分の周囲の空気を前記熱交換部に送る送風装置と、
を有し、
前記熱交換部は、冷却されることで前記熱交換部に流入した空気から前記冷媒を生成する、請求項１または２に記載のプロジェクター。
【請求項１０】
前記防塵ケースの内部に配置され、前記冷却対象に空気を送る冷却送風装置を備える、請求項１から９のいずれか一項に記載のプロジェクター。
【請求項１１】
前記冷却送風装置は、前記防塵ケース内の空気を循環させて、前記冷媒透過部の内側面に空気を送る、請求項１０に記載のプロジェクター。
【請求項１２】
前記冷媒透過部の外側面を開放する状態と、前記冷媒透過部の外側面の全体を覆って閉塞する状態と、の間で切り替えるシャッター部を備える、請求項１から１１のいずれか一項に記載のプロジェクター。
【請求項１３】
前記防塵ケースの内部に収容される吸湿部材を備える、請求項１から１２のいずれか一項に記載のプロジェクター。
【請求項１４】
前記冷却対象は、前記光変調装置である、請求項１から１３のいずれか一項に記載のプロジェクター。
【発明の詳細な説明】
【技術分野】
【０００１】
本発明は、プロジェクターに関する。
【背景技術】
【０００２】
プロジェクターを冷却する手段として、例えば特許文献１に示すような送風装置を用いた空冷による冷却手段、および例えば特許文献２に示すような冷媒液を送るポンプと冷媒液を通す配管とを用いた液冷による冷却手段等が提案されている。
【先行技術文献】
【特許文献】
【０００３】
【特許文献１】特開２００２−１０７６９８号公報
【特許文献２】特開２００７−２９４６５５号公報
【発明の概要】
【発明が解決しようとする課題】
【０００４】
近年、プロジェクターの高輝度化等に伴って、冷却手段によって冷却される冷却対象の熱量が増加しており、冷却手段による冷却性能の向上が求められている。しかし、上述した空冷および液冷等の冷却手段において冷却性能を向上させる場合、冷却手段が大型化し、プロジェクターが大型化する問題がある。また、空冷の場合には、送風装置による騒音が増大する問題もある。
【課題を解決するための手段】
【０００５】
本発明のプロジェクターの一つの態様は、冷却対象を備えるプロジェクターであって、光を射出する光源装置と、前記光源装置からの光を画像信号に応じて変調する光変調装置と、前記光変調装置により変調された光を投射する投射光学装置と、冷媒が気体へ変化することで前記冷却対象を冷却する冷却装置と、前記冷却対象を内部に収容する防塵ケースと、を備え、前記冷却装置は、前記冷媒を生成する冷媒生成部と、生成された前記冷媒を前記冷却対象に向けて伝送する冷媒伝送部と、を有し、前記防塵ケースを構成する壁部の一部は、防塵性を有しつつ前記防塵ケースの内部と外部との間で前記冷媒を透過させる冷媒透過部であることを特徴とする。
【０００６】
前記冷媒透過部は、多孔質部材製である構成としてもよい。
【０００７】
前記冷媒生成部は、回転する吸放湿部材と、第１領域に位置する前記吸放湿部材の部分に空気を送る第１送風装置と、前記冷媒伝送部に接続された熱交換部と、前記第１領域と異なる第２領域に位置する前記吸放湿部材の部分を加熱する加熱部と、前記吸放湿部材における前記加熱部によって加熱された部分の周囲の空気を前記熱交換部に送る第２送風装置と、を有し、前記熱交換部は、冷却されることで前記熱交換部に流入した空気から前記冷媒を生成する構成としてもよい。
【０００８】
前記第１領域に位置する前記吸放湿部材の部分は、前記防塵ケースの外部において前記冷媒透過部と間隔を空けて対向している構成としてもよい。
【０００９】
前記第１送風装置は、前記第１領域に位置する前記吸放湿部材の部分を通過させた後の空気を前記冷媒透過部の外側面に送る構成としてもよい。
【００１０】
前記第１送風装置は、前記冷媒透過部の外側面に接触した後の空気を前記第１領域に位置する前記吸放湿部材の部分に送る構成としてもよい。
【００１１】
前記冷媒透過部の外側面に空気を送る外側送風装置を備える構成としてもよい。
【００１２】
前記防塵ケースの内部の湿度に基づいて、前記冷媒透過部の外側面に送る空気の量を調整する制御部を備える構成としてもよい。
【００１３】
前記冷媒生成部は、第１領域に位置する部分が前記防塵ケースの外部において前記冷媒透過部と間隔を空けて対向し、かつ、回転する吸放湿部材と、前記冷媒伝送部に接続された熱交換部と、前記第１領域と異なる第２領域に位置する前記吸放湿部材の部分を加熱する加熱部と、前記吸放湿部材における前記加熱部によって加熱された部分の周囲の空気を前記熱交換部に送る送風装置と、を有し、前記熱交換部は、冷却されることで前記熱交換部に流入した空気から前記冷媒を生成する構成としてもよい。
【００１４】
前記防塵ケースの内部に配置され、前記冷却対象に空気を送る冷却送風装置を備える構成としてもよい。
【００１５】
前記冷却送風装置は、前記防塵ケース内の空気を循環させて、前記冷媒透過部の内側面に空気を送る構成としてもよい。
【００１６】
前記冷媒透過部の外側面を開放する状態と、前記冷媒透過部の外側面の全体を覆って閉塞する状態と、の間で切り替えるシャッター部を備える構成としてもよい。
【００１７】
前記防塵ケースの内部に収容される吸湿部材を備える構成としてもよい。
【００１８】
前記冷却対象は、前記光変調装置である構成としてもよい。
【図面の簡単な説明】
【００１９】
【図１】第１実施形態のプロジェクターを示す概略構成図である。
【図２】第１実施形態のプロジェクターの一部を示す模式図である。
【図３】第１実施形態の冷媒生成部を模式的に示す概略構成図である。
【図４】第１実施形態の吸放湿部材を示す斜視図である。
【図５】第１実施形態の熱交換部を示す部分断面斜視図である。
【図６】第１実施形態の光変調ユニットと光合成光学系とを示す斜視図である。
【図７】第１実施形態の光変調ユニットを光入射側から視た図である。
【図８】第１実施形態の光変調ユニットを示す図であって、図７におけるＶＩＩＩ−ＶＩＩＩ断面図である。
【図９】第１実施形態の冷媒保持部を示す図である。
【図１０】第１実施形態の防塵ケースを模式的に示す図である。
【図１１】第１実施形態の防塵ケースを模式的に示す図である。
【図１２】第１実施形態の他の一例である冷媒透過部の一部を示す図である。
【図１３】第２実施形態の防塵ケースの一部を示す図である。
【図１４】第２実施形態の防塵ケースの一部を示す図であって、図１３におけるＸＩＶ−ＸＩＶ断面図である。
【発明を実施するための形態】
【００２０】
以下、図面を参照しながら、本発明の実施形態に係るプロジェクターについて説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００２１】
＜第１実施形態＞
図１は、本実施形態のプロジェクター１を示す概略構成図である。図２は、本実施形態のプロジェクター１の一部を示す模式図である。図１に示すように、プロジェクター１は、光源装置２と、色分離光学系３と、光変調ユニット４Ｒと、光変調ユニット４Ｇと、光変調ユニット４Ｂと、光合成光学系５と、投射光学装置６と、を備える。光変調ユニット４Ｒは、光変調装置４ＲＰを有する。光変調ユニット４Ｇは、光変調装置４ＧＰを有する。光変調ユニット４Ｂは、光変調装置４ＢＰを有する。
【００２２】
光源装置２は、略均一な照度分布を有するように調整された照明光ＷＬを色分離光学系３に向けて射出する。光源装置２は、光源として、例えば、半導体レーザーを有する。色分離光学系３は、光源装置２からの照明光ＷＬを赤色光ＬＲと緑色光ＬＧと青色光ＬＢとに分離する。色分離光学系３は、第１のダイクロイックミラー７ａと、第２のダイクロイックミラー７ｂと、第１の反射ミラー８ａと、第２の反射ミラー８ｂと、第３の反射ミラー８ｃと、リレーレンズ８ｄと、を備える。
【００２３】
第１のダイクロイックミラー７ａは、光源装置２から射出された照明光ＷＬを、赤色光ＬＲと、緑色光ＬＧと青色光ＬＢとが混合された光と、に分離する。第１のダイクロイックミラー７ａは、赤色光ＬＲを透過させるとともに、緑色光ＬＧおよび青色光ＬＢを反射する特性を有する。第２のダイクロイックミラー７ｂは、緑色光ＬＧと青色光ＬＢとが混合された光を緑色光ＬＧと青色光ＬＢとに分離する。第２のダイクロイックミラー７ｂは、緑色光ＬＧを反射するとともに、青色光ＬＢを透過させる特性を有する。
【００２４】
第１の反射ミラー８ａは、赤色光ＬＲの光路中に配置され、第１のダイクロイックミラー７ａを透過した赤色光ＬＲを光変調装置４ＲＰに向けて反射する。第２の反射ミラー８ｂおよび第３の反射ミラー８ｃは、青色光ＬＢの光路中に配置され、第２のダイクロイックミラー７ｂを透過した青色光ＬＢを光変調装置４ＢＰに導く。
【００２５】
光変調装置４ＲＰ、光変調装置４ＧＰ、および光変調装置４ＢＰの各々は、液晶パネルから構成されている。光変調装置４ＲＰは、光源装置２から射出された光のうち赤色光ＬＲを画像信号に応じて変調する。光変調装置４ＧＰは、光源装置２から射出された光のうち緑色光ＬＧを画像信号に応じて変調する。光変調装置４ＢＰは、光源装置２から射出された光のうち青色光ＬＢを画像信号に応じて変調する。これにより、各光変調装置４ＲＰ，４ＧＰ，４ＢＰは、各色光に対応した画像光を形成する。図示は省略するが、光変調装置４ＲＰ，４ＧＰ，４ＢＰの各々の光入射側および光射出側には、偏光板が配置されている。
【００２６】
光変調装置４ＲＰの光入射側には、光変調装置４ＲＰに入射する赤色光ＬＲを平行化するフィールドレンズ９Ｒが配置されている。光変調装置４ＧＰの光入射側には、光変調装置４ＧＰに入射する緑色光ＬＧを平行化するフィールドレンズ９Ｇが配置されている。光変調装置４ＢＰの光入射側には、光変調装置４ＢＰに入射する青色光ＬＢを平行化するフィールドレンズ９Ｂが配置されている。
【００２７】
光合成光学系５は、略立方体状のクロスダイクロイックプリズムから構成されている。光合成光学系５は、光変調装置４ＲＰ，４ＧＰ，４ＢＰからの各色の画像光を合成する。光合成光学系５は、合成した画像光を投射光学装置６に向かって射出する。投射光学装置６は、投射レンズ群から構成されている。投射光学装置６は、光合成光学系５により合成された画像光、すなわち光変調装置４ＲＰ，４ＧＰ，４ＢＰにより変調された光をスクリーンＳＣＲに向かって拡大投射する。これにより、スクリーンＳＣＲ上には、拡大されたカラー画像（映像）が表示される。
【００２８】
プロジェクター１は、図２に示すように、冷却装置１０をさらに備える。冷却装置１０は、冷媒Ｗが気体へ変化することで、プロジェクター１に備えられた冷却対象を冷却する。本実施形態において冷媒Ｗは、例えば、液体の水である。そのため、以下の説明においては、冷媒Ｗが気体へ変化することを単に気化と呼ぶ場合がある。本実施形態において冷却対象は、光変調ユニット４Ｒ，４Ｇ，４Ｂを含む。すなわち、本実施形態において冷却対象は、光変調装置４ＲＰ，４ＧＰ，４ＢＰを含む。
【００２９】
冷却装置１０は、冷媒生成部２０と、冷媒伝送部５０と、を有する。冷媒生成部２０は、冷媒Ｗを生成する部分である。冷媒伝送部５０は、生成された冷媒Ｗを冷却対象に向けて伝送する部分である。冷媒伝送部５０によって冷却対象、すなわち本実施形態では光変調ユニット４Ｒ，４Ｇ，４Ｂに送られた冷媒Ｗが気化することで冷却対象から熱を奪うことができ、冷却装置１０は、冷却対象を冷却することができる。以下、各部について詳細に説明する。
【００３０】
図３は、本実施形態の冷媒生成部２０を模式的に示す概略構成図である。冷媒生成部２０は、図３に示すように、吸放湿部材４０と、モーター２４と、第１送風装置６０と、熱交換部３０と、第１循環ダクト２５と、第２循環ダクト２６と、加熱部２２と、第２送風装置２３と、冷却ダクト２１と、を有する。
【００３１】
図４は、吸放湿部材４０を示す斜視図である。吸放湿部材４０は、図４に示すように、回転軸Ｒを中心とした扁平の円柱状である。吸放湿部材４０の中心には、回転軸Ｒを中心とする中心孔４０ｃが形成されている。中心孔４０ｃは、回転軸Ｒの軸方向に吸放湿部材４０を貫通する。吸放湿部材４０は、回転軸Ｒ周りに回転する。以下の説明においては、回転軸Ｒの軸方向を「回転軸方向ＤＲ」と呼び、適宜図においてＤＲ軸で示す。
【００３２】
吸放湿部材４０は、吸放湿部材４０を回転軸方向ＤＲに貫通する無数の貫通孔４０ｂを有する。吸放湿部材４０は、多孔質部材である。吸放湿部材４０は、吸放湿性を有する。本実施形態において吸放湿部材４０は、例えば、貫通孔４０ｂを有する帯状の帯状部材４０ａを回転軸Ｒ周りに巻き、巻かれた帯状部材４０ａにおける外部に露出する面に吸放湿性を有する物質を塗布して作られている。なお、巻かれた帯状部材４０ａにおける外部に露出する面とは、吸放湿部材４０の外表面、中心孔４０ｃの内周面および貫通孔４０ｂの内側面を含む。なお、吸放湿部材４０は、全体が吸放湿性を有する物質から作られていてもよい。吸放湿性を有する物質としては、例えば、ゼオライトやシリカゲル等が挙げられる。
【００３３】
図３に示すモーター２４の出力軸は、吸放湿部材４０の中心孔４０ｃに挿入されて固定されている。モーター２４は、吸放湿部材４０を回転軸Ｒ周りに回転させる。モーター２４によって回転させられる吸放湿部材４０の回転速度は、例えば、０．２ｒｐｍ以上、５ｒｐｍ以下程度である。
【００３４】
第１送風装置６０は、例えば、プロジェクター１内に外部の空気を取り込む吸気ファンである。第１送風装置６０は、第１領域Ｆ１に位置する吸放湿部材４０の部分に空気ＡＲ１を送る。本実施形態において第１領域Ｆ１は、回転軸Ｒと直交する方向において、回転軸Ｒよりも一方側の領域である。一方、回転軸Ｒと直交する方向において、回転軸Ｒよりも他方側の領域、すなわち回転軸Ｒに対して第１領域Ｆ１と逆側の領域は、第２領域Ｆ２である。第１領域Ｆ１は、図３では回転軸Ｒよりも上側の領域である。第２領域Ｆ２は、図３では回転軸Ｒよりも下側の領域である。第１送風装置６０は、空気ＡＲ１を送ることができるならば、特に限定されず、例えば、軸流ファンであっても、遠心ファンであってもよい。
【００３５】
熱交換部３０は、冷媒Ｗが生成される部分である。図５は、熱交換部３０を示す部分断面斜視図である。図５に示すように、熱交換部３０は、流通部３１と、第１蓋部３２と、第２蓋部３３と、を有する。
【００３６】
流通部３１は、一方向に延びる管状の複数の配管部３１ａを有する。本実施形態において配管部３１ａが延びる一方向は、例えば、回転軸方向ＤＲと直交する。配管部３１ａは、延びる一方向の両側に開口する。配管部３１ａの延びる一方向と直交する断面形状は、例えば、円形状である。なお、以下の説明においては、配管部３１ａが延びる一方向を「延伸方向ＤＥ」と呼び、適宜図においてＤＥ軸で示す。上述した第１領域Ｆ１と第２領域Ｆ２とは、回転軸方向ＤＲと直交する延伸方向ＤＥにおいて、回転軸Ｒを基準として分けられている。
【００３７】
本実施形態において流通部３１は、複数の配管部３１ａが回転軸方向ＤＲに沿って並べられて構成された層が、回転軸方向ＤＲおよび延伸方向ＤＥの両方と直交する方向に沿って複数積層されて構成されている。なお、以下の説明においては、回転軸方向ＤＲおよび延伸方向ＤＥの両方と直交する方向を「厚さ方向ＤＴ」と呼び、適宜図においてＤＴ軸で示す。本実施形態において、流通部３１の厚さ方向ＤＴの寸法は、例えば、流通部３１の回転軸方向ＤＲの寸法よりも小さく、延伸方向ＤＥと直交する方向の流通部３１の寸法のうちで最も小さい。
【００３８】
第１蓋部３２は、流通部３１における延伸方向ＤＥの一方側（＋ＤＥ側）の端部に接続されている。第１蓋部３２は、回転軸方向ＤＲに長い直方体箱状である。第１蓋部３２の内部には、配管部３１ａの延伸方向ＤＥの一端が開口している。図３に示すように、第１蓋部３２の内部には、仕切部３２ａが設けられている。仕切部３２ａは、第１蓋部３２の内部を回転軸方向ＤＲに並ぶ第１空間Ｓ１と第２空間Ｓ２とに仕切っている。図３において、第１空間Ｓ１は、第２空間Ｓ２の右側（＋ＤＲ側）に位置する。
【００３９】
第１蓋部３２には、第１空間Ｓ１と第２循環ダクト２６の内部とを繋ぐ連通孔３２ｂが形成されている。第１蓋部３２には、第２空間Ｓ２と第１循環ダクト２５の内部とを繋ぐ連通孔３２ｃが形成されている。
【００４０】
第２蓋部３３は、流通部３１における延伸方向ＤＥの他方側（−ＤＥ側）の端部、すなわち流通部３１に対して第１蓋部３２が接続された側と逆側の端部に接続されている。図５に示すように、第２蓋部３３は、回転軸方向ＤＲに長い直方体箱状である。第２蓋部３３の内部には、配管部３１ａの延伸方向ＤＥの他端が開口している。第２蓋部３３の内部は、第１蓋部３２と異なり、仕切られていない。第２蓋部３３の内部は、流通部３１の配管部３１ａの内部を介して、第１蓋部３２の内部のうち第１空間Ｓ１および第２空間Ｓ２のそれぞれと繋がっている。第２蓋部３３は、冷媒伝送部５０と接続されている。これにより、熱交換部３０は、冷媒伝送部５０と接続されている。なお、図５においては、第２蓋部３３における延伸方向ＤＥの他方側の壁を省略している。
【００４１】
第１循環ダクト２５は、図３に示すように、熱交換部３０から吸放湿部材４０の回転軸方向ＤＲの他方側（−ＤＲ側）の領域まで延びるダクトである。第１循環ダクト２５の一端部は、熱交換部３０に接続されている。第１循環ダクト２５は、第１蓋部３２の連通孔３２ｃと繋がる流入口を有する。第１循環ダクト２５の内部は、当該流入口および連通孔３２ｃを介して第２空間Ｓ２と繋がっている。第１循環ダクト２５の他端部は、吸放湿部材４０と僅かな隙間を介して対向して配置されている。第１循環ダクト２５には、第２送風装置２３によって熱交換部３０の内部から吸放湿部材４０に送られる空気が通る。
【００４２】
第１循環ダクト２５は、第２領域Ｆ２に位置する吸放湿部材４０の部分と対向する第１開口部２５ａを有する。第１開口部２５ａは、吸放湿部材４０の回転軸方向ＤＲの他方側（−ＤＲ側）に位置し、吸放湿部材４０に向かって、回転軸方向ＤＲの一方側（＋ＤＲ側）に開口している。
【００４３】
第２循環ダクト２６は、吸放湿部材４０の回転軸方向ＤＲの一方側（＋ＤＲ側）の領域から熱交換部３０まで延びるダクトである。第２循環ダクト２６の一端部は、吸放湿部材４０と僅かな隙間を介して対向して配置されている。第２循環ダクト２６の他端部は、熱交換部３０に接続されている。第２循環ダクト２６は、第１蓋部３２の連通孔３２ｂと繋がる流出口を有する。第２循環ダクト２６の内部は、当該流出口および連通孔３２ｂを介して第１空間Ｓ１と繋がっている。第２循環ダクト２６には、第２送風装置２３によって吸放湿部材４０から熱交換部３０の内部に送られる空気が通る。
【００４４】
第２循環ダクト２６は、第２領域Ｆ２に位置する吸放湿部材４０の部分と対向する第２開口部２６ａを有する。第２開口部２６ａは、吸放湿部材４０の回転軸方向ＤＲの一方側（＋ＤＲ側）に位置し、吸放湿部材４０に向かって、回転軸方向ＤＲの他方側（−ＤＲ側）に開口している。第２開口部２６ａは、第１開口部２５ａとの間で吸放湿部材４０を回転軸方向ＤＲに挟む位置に配置されている。
【００４５】
図３において図示は省略するが、回転軸方向ＤＲに沿って視て、本実施形態の第１開口部２５ａおよび第２開口部２６ａは、吸放湿部材４０の回転軸Ｒを中心とする扇形形状である。ここで、本明細書において「扇形形状」とは、曲率中心が同じで半径が異なる２つの弧と、当該曲率中心を中心とする円の半径方向に延び、２つの弧の両端同士をそれぞれ繋ぐ２本の線分とによって囲まれた形状を含む。本実施形態において第１開口部２５ａおよび第２開口部２６ａは、上述した２つの弧と２つの線分とによって囲まれた扇形形状である。回転軸方向ＤＲに沿って視て、第１開口部２５ａの扇形形状および第２開口部２６ａの扇形形状における弧の曲率中心は、吸放湿部材４０の回転軸Ｒである。
【００４６】
加熱部２２は、加熱本体部２２ａを有する。加熱本体部２２ａは、第１循環ダクト２５の内部に配置されている。加熱本体部２２ａは、回転軸方向ＤＲにおいて、第２領域Ｆ２に位置する吸放湿部材４０の部分の他方側（−ＤＲ側）に配置されている。加熱本体部２２ａは、例えば、電気ヒーターである。加熱本体部２２ａは、第１循環ダクト２５の内部の雰囲気を加熱する。本実施形態において加熱部２２は、第２送風装置２３を有する。
【００４７】
第２送風装置２３は、第２循環ダクト２６の内部に配置されている。第２送風装置２３は、回転軸方向ＤＲにおいて、第２領域Ｆ２に位置する吸放湿部材４０の部分の一方側（＋ＤＲ側）に配置されている。第２送風装置２３は、例えば、遠心ファンである。第２送風装置２３は、回転軸方向ＤＲの他方側（−ＤＲ側）から吸気した空気を、排気口２３ａから延伸方向ＤＥの他方側（−ＤＥ側）に放出する。排気口２３ａは、第１蓋部３２の連通孔３２ｂに開口している。第２送風装置２３は、連通孔３２ｂを介して第１空間Ｓ１に空気を送る。
【００４８】
第２送風装置２３から第１空間Ｓ１に放出される空気は、第２循環ダクト２６の第２開口部２６ａを介して第２送風装置２３の回転軸方向ＤＲの他方側（−ＤＲ側）から吸気した空気であり、第２領域Ｆ２に位置する吸放湿部材４０の部分を通過した空気である。すなわち、第２送風装置２３は、第１領域Ｆ１と異なる第２領域Ｆ２に位置する吸放湿部材４０の部分に空気を通過させて熱交換部３０に送る。本実施形態において第２領域Ｆ２に位置する吸放湿部材４０の部分を通過する前の空気は、第１循環ダクト２５の内部を流れている。そのため、加熱本体部２２ａは、第２領域Ｆ２に位置する吸放湿部材４０の部分を通過する前の空気を加熱する。
【００４９】
このように、本実施形態において加熱部２２は、加熱本体部２２ａによって加熱された空気を、第２送風装置２３によって第２領域Ｆ２に位置する吸放湿部材４０の部分に送ることで、第２領域Ｆ２に位置する吸放湿部材４０の部分を加熱する。これにより、第２送風装置２３は、吸放湿部材４０における加熱部２２によって加熱された部分の周囲の空気を熱交換部３０に送る。
【００５０】
図３に示すように、第２送風装置２３から第１空間Ｓ１を介して熱交換部３０に流入した空気は、複数の配管部３１ａのうち第１空間Ｓ１と繋がる配管部３１ａの内部を通って、第２蓋部３３の内部に流入する。第２蓋部３３の内部に流入した空気は、複数の配管部３１ａのうち第２空間Ｓ２と繋がる配管部３１ａの内部を通って、第２空間Ｓ２に流入し、連通孔３２ｃから第１循環ダクト２５の内部に流入する。第１循環ダクト２５の内部に流入した空気は、加熱本体部２２ａによって加熱され、再び第２領域Ｆ２に位置する吸放湿部材４０の部分を通過して第２循環ダクト２６の内部に流入し第２送風装置２３に吸気される。
【００５１】
以上のように、冷媒生成部２０は、第２領域Ｆ２に位置する吸放湿部材４０の部分および熱交換部３０を通る循環経路２７を有する。循環経路２７は、熱交換部３０から第１循環ダクト２５、第２領域Ｆ２に位置する吸放湿部材４０の部分、および第２循環ダクト２６をこの順に通って再び熱交換部３０に戻るように空気が循環する経路である。第２送風装置２３は、循環経路２７内の空気を循環させる。循環経路２７内を循環する空気は、第１循環ダクト２５内において加熱本体部２２ａを通る。吸放湿部材４０と第１循環ダクト２５および第２循環ダクト２６との間には僅かに隙間が設けられているが、循環経路２７は略密閉されており、循環経路２７の内部に外部からの空気が流入することが抑制される。なお、以下の説明においては、循環経路２７内を循環する空気を空気ＡＲ２と呼ぶ。
【００５２】
冷却ダクト２１は、回転軸方向ＤＲにおいて、第１領域Ｆ１に位置する吸放湿部材４０の部分の一方側（＋ＤＲ側）に配置された流入口を有するダクトである。冷却ダクト２１には、第１送風装置６０から放出され第１領域Ｆ１に位置する吸放湿部材４０の部分を通過した空気ＡＲ１が流入する。冷却ダクト２１は、第１領域Ｆ１に位置する吸放湿部材４０の部分の一方側の領域から熱交換部３０に向かって延びている。
【００５３】
冷却ダクト２１は、回転軸方向ＤＲに延びる冷却通路部２１ａを有する。冷却通路部２１ａには、熱交換部３０の流通部３１が延伸方向ＤＥに貫通して配置されている。これにより、冷却通路部２１ａの内部には、流通部３１が配置されている。冷却通路部２１ａを通る空気ＡＲ１は、流通部３１の外表面に吹き付けられ、流通部３１を回転軸方向ＤＲに通過する。これにより、流通部３１は、空気ＡＲ１によって冷却される。すなわち、熱交換部３０は、第１送風装置６０から放出され、吸放湿部材４０を通過した空気ＡＲ１によって冷却される。図３では、冷却通路部２１ａにおいて空気ＡＲ１は、右側から左側に流通部３１を通過している。冷却通路部２１ａにおける回転軸方向ＤＲの他方側（−ＤＲ側）の端部は、開口している。冷却通路部２１ａの開口は、例えば、冷却ダクト２１の流出口である。
【００５４】
第１領域Ｆ１に位置する吸放湿部材４０の部分に第１送風装置６０から空気ＡＲ１が送られると、空気ＡＲ１に含まれる水蒸気が、第１領域Ｆ１に位置する吸放湿部材４０の部分に吸湿される。水蒸気を吸湿した吸放湿部材４０の部分は、モーター２４によって吸放湿部材４０が回転させられることで、第１領域Ｆ１から第２領域Ｆ２に移動する。そして、第２領域Ｆ２に位置する吸放湿部材４０の部分には、加熱本体部２２ａによって加熱された比較的温度の高い空気ＡＲ２が通る。これにより、吸放湿部材４０に吸湿された水分が、気化して空気ＡＲ２に放湿される。
【００５５】
吸放湿部材４０を通過することで空気ＡＲ１から吸湿した水蒸気を含んだ空気ＡＲ２は、第２送風装置２３によって熱交換部３０へと送られる。第１空間Ｓ１から熱交換部３０へと流入した空気ＡＲ２は、流通部３１の内部を流れる。より詳細には、空気ＡＲ２は、流通部３１の配管部３１ａの内部を流れる。流通部３１は、冷却ダクト２１の冷却通路部２１ａを回転軸方向ＤＲに沿って流れる空気ＡＲ１によって外部から冷却される。
【００５６】
流通部３１が冷却されると、配管部３１ａの内部を流れる比較的温度の高い空気ＡＲ２が冷却されて、空気ＡＲ２に含まれていた水蒸気が凝縮して液体の水、すなわち冷媒Ｗになる。このようにして、熱交換部３０は、冷却されることで熱交換部３０に流入した空気ＡＲ２から冷媒Ｗを生成する。なお、本明細書においては、冷媒生成部２０において生成された後の冷媒Ｗについては、気化して気体（水蒸気）になった場合であっても、気化した冷媒Ｗ、または単に冷媒Ｗと呼ぶ場合がある。
【００５７】
本実施形態において冷媒伝送部５０は、多孔質部材製であり、毛細管現象によって冷媒Ｗを伝送する。冷媒伝送部５０の材質としては、例えば、ポリプロピレン、コットン、ポーラス金属等が挙げられる。冷媒伝送部５０の材質は、冷媒伝送部５０の表面張力を比較的大きくできる材質が好ましい。冷媒伝送部５０は、図５に示すように、第１捕捉部５１と、第２捕捉部５２と、第３捕捉部５３と、接続部５４と、を有する。
【００５８】
第１捕捉部５１は、第１蓋部３２の内側面のうち延伸方向ＤＥの一方側（＋ＤＥ側）の縁部に固定されている。第１捕捉部５１は、薄い帯状であり、第１蓋部３２の縁部に沿って矩形枠状に成形されている。第２捕捉部５２は、第２蓋部３３の内側面のうち延伸方向ＤＥの他方側（−ＤＥ側）の縁部に固定されている。第２捕捉部５２は、薄い帯状であり、第２蓋部３３の縁部に沿って矩形枠状に成形されている。
【００５９】
第３捕捉部５３は、第１捕捉部５１から配管部３１ａの内部を通って第２捕捉部５２まで延びており、第１捕捉部５１と第２捕捉部５２とを接続している。第３捕捉部５３は、延伸方向ＤＥに延びた薄い帯状である。本実施形態において、第３捕捉部５３は、図５に示すように、複数の配管部３１ａのうち１つの配管部３１ａの内部に配置されているが、これに限らない。第３捕捉部５３は、複数の配管部３１ａのうち一部の配管部３１ａの内部に設けられていてもよいし、複数の配管部３１ａのうち全ての配管部３１ａの内部に設けられていてもよい。複数の配管部３１ａのうち一部の配管部３１ａの内部に設けられる場合、第３捕捉部５３は、２つ以上の配管部３１ａの内部に設けられてもよい。
【００６０】
接続部５４は、冷媒生成部２０と冷却対象とを接続する部分である。本実施形態において接続部５４は、第２捕捉部５２に接続され、第２蓋部３３の内部から第２蓋部３３の外部に第２蓋部３３の壁を貫通して突出している。図６に示すように、第２蓋部３３の外部に突出した接続部５４は、冷却対象である光変調ユニット４Ｇまで延びている。図６は、光変調ユニット４Ｒ，４Ｇ，４Ｂと光合成光学系５とを示す斜視図である。接続部５４は、薄い帯状である。図５に示すように、接続部５４の幅は、例えば、第１捕捉部５１の幅、第２捕捉部５２の幅、および第３捕捉部５３の幅よりも大きい。
【００６１】
次に、本実施形態における冷却対象である光変調ユニット４Ｒ，４Ｇ，４Ｂについて、より詳細に説明する。以下の説明においては、正の側を上側とし、負の側を下側とする上下方向Ｚを、適宜図においてＺ軸で示す。投射光学装置６における最も光射出側の投射レンズの光軸ＡＸと平行な方向、すなわち投射光学装置６の投射方向と平行な方向を「光軸方向Ｘ」と呼び、適宜図においてＸ軸で示す。光軸方向Ｘは、上下方向Ｚと直交する。また、光軸方向Ｘおよび上下方向Ｚの両方と直交する方向を「幅方向Ｙ」と呼び、適宜図においてＹ軸で示す。
【００６２】
なお、上下方向Ｚ、上側および下側とは、単に各部の相対位置関係を説明するための名称であり、実際の配置関係等は、これらの名称で示される配置関係等以外の配置関係等であってもよい。
【００６３】
図７は、光変調ユニット４Ｇを光入射側から視た図である。図８は、光変調ユニット４Ｇを示す図であって、図７におけるＶＩＩＩ−ＶＩＩＩ断面図である。
冷却対象である光変調ユニット４Ｒと光変調ユニット４Ｇと光変調ユニット４Ｂとは、図６に示すように、光合成光学系５の周りを囲んで配置されている。光変調ユニット４Ｒと光変調ユニット４Ｂとは、光合成光学系５を幅方向Ｙに挟んで互いに反対側に配置されている。光変調ユニット４Ｇは、光合成光学系５の光軸方向Ｘの光入射側（−Ｘ側）に配置されている。光変調ユニット４Ｒの構造と光変調ユニット４Ｇの構造と光変調ユニット４Ｂの構造とは、配置される位置および姿勢が異なる点を除いて同様であるため、以下の説明においては、代表して光変調ユニット４Ｇについてのみ説明する場合がある。
【００６４】
光変調ユニット４Ｇは、光変調装置４ＧＰを保持する保持フレーム８０を有する。保持フレーム８０は、図６から図８に示すように、光変調装置４ＧＰに光が入射する方向に扁平で上下方向Ｚに長い略直方体状である。光変調装置４ＧＰの光が入射する方向は、例えば、光軸方向Ｘである。
【００６５】
保持フレーム８０は、図８に示すように、保持フレーム８０を光が入射する方向に貫通する貫通孔８１を有する。貫通孔８１の光入射側（−Ｘ側）の縁には、貫通孔８１の幅が広くなる段差部８３が設けられている。光変調装置４ＧＰは、段差部８３に嵌められて保持フレーム８０に保持されている。図７に示すように、保持フレーム８０の光入射側の面における上下方向Ｚの両側の部分には、挿入溝８２ａ，８２ｂが形成されている。
【００６６】
プロジェクター１は、図６から図８に示すように、冷却対象である光変調ユニット４Ｇに設けられた冷却促進部７０をさらに備える。冷却促進部７０は、冷媒保持部７１と、固定部材７２と、を有する。冷媒保持部７１は、冷却対象である光変調ユニット４Ｇの保持フレーム８０の面に取り付けられている。本実施形態では、冷媒保持部７１は、保持フレーム８０における光変調装置４ＧＰの光入射側（−Ｘ側）の面に設けられている。冷媒保持部７１は、冷媒Ｗを保持する多孔質部材製である。冷媒保持部７１の材質としては、例えば、ポリプロピレン、コットン、ポーラス金属等が挙げられる。冷媒保持部７１の材質は、例えば、冷媒伝送部５０の材質と同じにできる。冷媒保持部７１の材質は、冷媒保持部７１の表面張力を比較的大きくできる材質が好ましい。
【００６７】
図９は、冷媒保持部７１を示す図である。冷媒保持部７１は、図９に示すように、矩形枠状の本体部７１ａと、本体部７１ａにおける上下方向Ｚの両側の端部に設けられた挿入部７１ｂ，７１ｃと、を有する。本体部７１ａは、図８に示すように、保持フレーム８０における光変調装置４ＧＰの光入射側（−Ｘ側）の面の一部を覆っている。本体部７１ａにおける内縁側の部分は、光変調装置４ＧＰの外縁部分を覆っている。挿入部７１ｂは、折り曲げられて保持フレーム８０の挿入溝８２ａに挿入されている。挿入部７１ｃは、折り曲げられて保持フレーム８０の挿入溝８２ｂに挿入されている。
【００６８】
固定部材７２は、冷媒保持部７１を固定する部材である。固定部材７２は、図６および図８に示すように、板状の部材である。固定部材７２は、例えば、金属製である。固定部材７２は、矩形枠状の枠部７２ａと、取付部７２ｂと、挿入部７２ｃと、を有する。枠部７２ａは、図７および図８に示すように、冷媒保持部７１の外縁部を覆っている。保持フレーム８０と冷媒保持部７１と枠部７２ａとは、光変調ユニット４Ｇを通過する光の方向（光軸方向Ｘ）に積層されている。以下の説明においては、保持フレーム８０と冷媒保持部７１と枠部７２ａとが積層された方向を単に「積層方向」と呼ぶ。固定部材７２は、枠部７２ａによって、保持フレーム８０との間で冷媒保持部７１を積層方向（光軸方向Ｘ）に挟んで固定している。
【００６９】
枠部７２ａの内縁は、冷媒保持部７１の内縁よりも外側に設けられている。そのため、冷媒保持部７１の一部、すなわち本実施形態では枠部７２ａよりも内側の部分は、積層方向の固定部材７２側から視て、露出している。
【００７０】
取付部７２ｂは、図６および図８に示すように、枠部７２ａの上下方向Ｚの両端部における幅方向Ｙの両端部にそれぞれ設けられている。取付部７２ｂは、枠部７２ａから保持フレーム８０側（＋Ｘ側）に突出している。取付部７２ｂは、保持フレーム８０の側面に設けられた突起に係合されている。これにより、固定部材７２は、保持フレーム８０に固定されている。
【００７１】
挿入部７２ｃは、枠部７２ａの上下方向Ｚの両端部に設けられている。挿入部７２ｃは、枠部７２ａから保持フレーム８０側（＋Ｘ側）に突出している。挿入部７２ｃは、保持フレーム８０の挿入溝８２ａ，８２ｂに挿入されている。挿入部７２ｃは、挿入溝８２ａ，８２ｂの内部において、冷媒保持部７１の挿入部７１ｂ，７１ｃを押さえている。
【００７２】
冷却促進部７０は、複数の光変調ユニット４Ｒ，４Ｇ，４Ｂのそれぞれに設けられている。すなわち、冷媒保持部７１と固定部材７２とは、複数の光変調ユニット４Ｒ，４Ｇ，４Ｂのそれぞれに設けられている。図９に示すように、各光変調ユニット４Ｒ，４Ｇ，４Ｂのうち、光変調ユニット４Ｇに設けられた冷媒保持部７１Ｇは、冷媒伝送部５０と接続されている。より詳細には、冷媒保持部７１Ｇの下端部には、冷媒伝送部５０の接続部５４が接続されている。
【００７３】
光変調ユニット４Ｂに取り付けられた冷媒保持部７１Ｂおよび光変調ユニット４Ｒに取り付けられた冷媒保持部７１Ｒは、接続部５４が接続されていない点を除いて、光変調ユニット４Ｇに取り付けられた冷媒保持部７１Ｇと同様である。
【００７４】
本実施形態においては、複数の光変調ユニット４Ｒ，４Ｇ，４Ｂに設けられた冷媒保持部７１同士を互いに連結する多孔質部材製の連結部７３ａ，７３ｂが設けられている。本実施形態では、光変調ユニット４Ｇに取り付けられた冷媒保持部７１Ｇの両側に、連結部７３ａ，７３ｂを介して、光変調ユニット４Ｂに取り付けられた冷媒保持部７１Ｂと、光変調ユニット４Ｒに取り付けられた冷媒保持部７１Ｒとが連結されている。
【００７５】
連結部７３ａは、光変調ユニット４Ｇに取り付けられた冷媒保持部７１Ｇと光変調ユニット４Ｂに取り付けられた冷媒保持部７１Ｂとを連結している。これにより、冷媒保持部７１Ｂは、冷媒保持部７１Ｇを介して冷媒伝送部５０の接続部５４と接続されている。図６に示すように、連結部７３ａには、連結部７３ａを覆う被覆部７４が設けられている。被覆部７４は、例えば、樹脂製のフィルム等である。
【００７６】
連結部７３ｂは、光変調ユニット４Ｇに取り付けられた冷媒保持部７１と光変調ユニット４Ｒに取り付けられた冷媒保持部７１とを連結している。これにより、冷媒保持部７１Ｒは、冷媒保持部７１Ｇを介して冷媒伝送部５０の接続部５４と接続されている。図示は省略するが、連結部７３ｂにも、連結部７３ａと同様に被覆部７４が設けられている。
【００７７】
冷媒生成部２０によって生成された冷媒Ｗは、冷媒伝送部５０の接続部５４によって、冷媒保持部７１Ｇに伝送される。冷媒保持部７１Ｇに伝送された冷媒Ｗは、連結部７３ａを介して冷媒保持部７１Ｂに伝送され、かつ、連結部７３ｂを介して冷媒保持部７１Ｒに伝送される。このようにして、冷媒生成部２０で生成された冷媒Ｗが、３つの光変調ユニット４Ｒ，４Ｇ，４Ｂに伝送される。そして、伝送され冷媒保持部７１に保持された冷媒Ｗが気化することで、冷却対象である光変調ユニット４Ｒ，４Ｇ，４Ｂが冷却される。より詳細には、冷媒保持部７１に保持された冷媒Ｗが気化することで、冷媒保持部７１が取り付けられた保持フレーム８０が冷却され、保持フレーム８０が冷却されることで、保持フレーム８０が保持する光変調装置４ＲＰ，４ＧＰ，ＢＰが冷却される。これにより、冷却装置１０によって、冷却対象である光変調装置４ＲＰ，４ＧＰ，４ＢＰを冷却できる。
【００７８】
本実施形態において冷却対象である光変調ユニット４Ｒ，４Ｇ，４Ｂは、図１０および図１１に示すように、塵および埃等が付着することを抑制するために、防塵ケース９０の内部に収容されている。図１０および図１１は、防塵ケース９０を模式的に示す図である。
【００７９】
本実施形態のプロジェクター１は、図１０および図１１に示すように、防塵ケース９０と、冷却送風装置６２と、第３循環ダクト９４ａと、第４循環ダクト９４ｂと、シャッター部９３と、外側送風装置６１と、吸湿ダクト９５と、湿度センサー９６と、制御部９７と、をさらに備える。
【００８０】
防塵ケース９０は、冷却対象である光変調ユニット４Ｒ，４Ｇ，４Ｂを内部に収容する。本実施形態において防塵ケース９０は、光変調ユニット４Ｒ，４Ｇ，４Ｂおよび光合成光学系５を内部に収容する。防塵ケース９０は、防塵性を有する。防塵ケース９０は、例えば、直方体箱状である。防塵ケース９０は、閉塞されており、防塵ケース９０の内部と外部との塵および埃等の通過を遮断可能となっている。防塵ケース９０は、ケース本体９１と、冷媒透過部９２と、を有する。
【００８１】
なお、本明細書において「ある対象が防塵性を有する」とは、ある対象が、塵および埃等を通過させない性質、または塵および埃等をほぼ通過させない性質を有することを含む。塵および埃等をほぼ通過させない性質とは、ある対象を通過しようとした塵および埃等の９０％以上を遮断できる性質であることを含む。
【００８２】
ケース本体９１は、例えば、直方体箱状である。ケース本体９１は、防塵ケース９０の壁部の大部分を構成している。ケース本体９１のうち幅方向Ｙの一方側（＋Ｙ側）に位置する壁部９１ａには、貫通孔９１ｂが形成されている。貫通孔９１ｂは、壁部９１ａを幅方向Ｙに貫通している。ケース本体９１は、防塵性を有する。本実施形態においてケース本体９１は、透光性を有し、光変調ユニット４Ｒ，４Ｇ，４Ｂに入射される光および光合成光学系５から射出される光を透過可能である。ケース本体９１は、冷媒Ｗを遮断する。ケース本体９１は、例えば、ガラス製、プラスチック製等である。なお、ケース本体９１における光合成光学系５の光射出面と対向する壁部に貫通孔が形成されており、ケース本体９１の防塵性が維持されつつ、光を透過可能な透光性部材が当該貫通孔に嵌め込まれる構造としてもよい。
【００８３】
冷媒透過部９２は、貫通孔９１ｂに嵌め込まれており、貫通孔９１ｂを閉塞している。冷媒透過部９２は、防塵ケース９０の壁部の一部を構成している。言い換えれば、防塵ケース９０を構成する壁部の一部は、冷媒透過部９２である。冷媒透過部９２は、防塵ケース９０の内部に面する内側面９２ａと、防塵ケース９０の外部に面する外側面９２ｂと、を有する。冷媒透過部９２は、防塵性を有しつつ防塵ケース９０の内部と外部との間で冷媒Ｗを透過させることが可能である。本実施形態において冷媒透過部９２は、多孔質部材製である。冷媒透過部９２を構成する多孔質部材の材料は、例えば、ポリエステル、珪藻土、セラミック、ポーラス金属等である。
【００８４】
なお、本明細書において「冷媒透過部が防塵ケースの内部と外部との間で冷媒を透過させることが可能である」とは、防塵ケースの内部に存在した冷媒が冷媒透過部を通って防塵ケースの外部に移動可能であること、および防塵ケースの外部に存在した冷媒が冷媒透過部を通って防塵ケースの内部に移動可能であること、を含む。冷媒透過部を通って防塵ケースの内部と外部との間で移動する際の冷媒の状態は、特に限定されない。冷媒は、液体の状態であってもよいし、気化して気体となった状態であってもよいし、液体と気体との間で変化してもよい。本実施形態において冷媒透過部９２は、防塵ケース９０の内部において気化して気体となった状態の冷媒Ｗを吸湿し、防塵ケース９０の外部に気体として放湿する。冷媒透過部９２に吸湿された状態において冷媒Ｗは、凝縮されて再び液体となっている。
【００８５】
冷却送風装置６２は、防塵ケース９０の内部に配置されている。冷却送風装置６２は、冷却対象である光変調ユニット４Ｒ，４Ｇ，４Ｂに空気を送る。冷却送風装置６２は、防塵ケース９０内の空気を循環させる。冷却送風装置６２は、例えば、遠心ファンである。冷却送風装置６２は、軸流ファンであってもよい。冷却送風装置６２は、空気を吸入する吸気口６２ａと、空気を放出する排気口６２ｂと、を有する。なお、以下の説明においては、防塵ケース９０内を循環する空気を空気ＡＲ４と呼ぶ。
【００８６】
第３循環ダクト９４ａは、冷却送風装置６２から冷却対象である光変調ユニット４Ｒ，４Ｇ，４Ｂに向けて光軸方向Ｘに延びている。第３循環ダクト９４ａ内には、冷却送風装置６２の排気口６２ｂから放出されて光変調ユニット４Ｒ，４Ｇ，４Ｂに送られる空気ＡＲ４が通る。
【００８７】
第４循環ダクト９４ｂは、光変調ユニット４Ｒ，４Ｇ，４Ｂの幅方向Ｙの一方側の領域（＋Ｙ側）から冷却送風装置６２の幅方向Ｙの一方側の領域まで延びている。第４循環ダクト９４ｂには、第３循環ダクト９４ａから光変調ユニット４Ｒ，４Ｇ，４Ｂに送られて光変調ユニット４Ｒ，４Ｇ，４Ｂを通過した空気ＡＲ４が流入される。第４循環ダクト９４ｂ内には、光変調ユニット４Ｒ，４Ｇ，４Ｂから冷却送風装置６２の吸気口６２ａに送られる空気ＡＲ４が通る。
【００８８】
このように、冷却送風装置６２の排気口６２ｂから放出された空気ＡＲ４は、第３循環ダクト９４ａを介して光変調ユニット４Ｒ，４Ｇ，４Ｂに送られ、光変調ユニット４Ｒ，４Ｇ，４Ｂを通過した後、第４循環ダクト９４ｂを介して冷却送風装置６２の吸気口６２ａに送られる。このようにして、冷却送風装置６２は、防塵ケース９０内の空気ＡＲ４を循環させる。
【００８９】
第４循環ダクト９４ｂは、ケース本体９１の壁部９１ａに接触して光軸方向Ｘに延びる延伸部９４ｃを有する。延伸部９４ｃは、貫通孔９４ｄを有する。貫通孔９４ｄは、冷媒透過部９２の内側面９２ａと対向している。これにより、冷媒透過部９２の内側面９２ａは、貫通孔９４ｄを介して第４循環ダクト９４ｂの内部に露出する。第４循環ダクト９４ｂ内を通る空気ＡＲ４の一部は、貫通孔９４ｄが設けられた部分を通過する際に、貫通孔９４ｄを介して第４循環ダクト９４ｂ内に露出する冷媒透過部９２の内側面９２ａに接触する。これにより、冷却送風装置６２は、防塵ケース９０内の空気ＡＲ４を循環させて、冷媒透過部９２の内側面９２ａに空気ＡＲ４を送る。
【００９０】
シャッター部９３は、防塵ケース９０の外側面に設けられている。本実施形態においてシャッター部９３は、壁部９１ａの外側面に設けられている。シャッター部９３は、例えば、図示しない駆動装置によって、光軸方向Ｘに移動させられる。シャッター部９３は、冷媒透過部９２の外側面９２ｂを開放する状態と、冷媒透過部９２の外側面９２ｂの全体を覆って閉塞する状態と、の間で切り替え可能である。図１０は、シャッター部９３が冷媒透過部９２の外側面９２ｂを開放する状態を示している。図１１は、シャッター部９３が冷媒透過部９２の外側面９２ｂの全体を覆って閉塞する状態を示している。シャッター部９３は、防塵性を有する。シャッター部９３は、冷媒Ｗを遮断する。
【００９１】
外側送風装置６１は、図１０に示すように、防塵ケース９０の外部に配置されている。外側送風装置６１は、例えば、光軸方向Ｘに空気を送る。なお、以下の説明においては、外側送風装置６１によって送られる空気を、空気ＡＲ３と呼ぶ。外側送風装置６１によって送られる空気ＡＲ３は、防塵ケース９０の幅方向Ｙの一方側（＋Ｙ側）を通る。外側送風装置６１は、空気ＡＲ３を送ることができるならば、特に限定されず、例えば、軸流ファンであっても、遠心ファンであってもよい。
【００９２】
吸湿ダクト９５は、外側送風装置６１によって送られる空気ＡＲ３が通るダクトである。吸湿ダクト９５は、防塵ケース９０の幅方向Ｙの一方側（＋Ｙ側）に接触して配置され、光軸方向Ｘに延びている。吸湿ダクト９５は、貫通孔９５ａを有する。貫通孔９５ａは、防塵ケース９０の外側面のうち幅方向Ｙの一方側の面に対向している。これにより、防塵ケース９０の外側面のうち幅方向Ｙの一方側の面は、貫通孔９５ａを介して吸湿ダクト９５の内部に露出する。
【００９３】
吸湿ダクト９５の内部に露出する防塵ケース９０の外側面は、シャッター部９３が開放した状態において、冷媒透過部９２の外側面９２ｂを含む。そのため、吸湿ダクト９５の内部を通過する空気ＡＲ３の一部は、シャッター部９３が開放した状態において冷媒透過部９２の外側面９２ｂに接触する。このようにして、外側送風装置６１は、冷媒透過部９２の外側面９２ｂに空気ＡＲ３を送る。冷媒透過部９２の外側面９２ｂに空気ＡＲ３が送られると、防塵ケース９０内で気化した冷媒Ｗが冷媒透過部９２を透過して空気ＡＲ３に放湿される。
【００９４】
湿度センサー９６は、防塵ケース９０の内部に配置されている。湿度センサー９６は、防塵ケース９０の内部の湿度を計測可能なセンサーである。湿度センサー９６の計測結果は、制御部９７に送られる。湿度センサー９６は、防塵ケース９０の内部の湿度を計測可能であれば、特に限定されない。
【００９５】
制御部９７は、外側送風装置６１を制御する。本実施形態において制御部９７は、湿度センサー９６から得られた防塵ケース９０の内部の湿度に基づいて、外側送風装置６１を制御し、冷媒透過部９２の外側面９２ｂに送る空気ＡＲ３の量を調整する。
【００９６】
具体的に制御部９７は、防塵ケース９０の内部の湿度が比較的高い場合、外側送風装置６１の出力を上昇させ、冷媒透過部９２の外側面９２ｂに送られる空気ＡＲ３の量を増大させる。冷媒透過部９２の外側面９２ｂに送られる空気ＡＲ３の量が増大することで、防塵ケース９０内から冷媒透過部９２を介して空気ＡＲ３に放湿される冷媒Ｗが増加する。単位時間当たりにおいて、空気ＡＲ３に放湿される冷媒Ｗの量が、防塵ケース９０内で気化する冷媒Ｗの量よりも多くなると、防塵ケース９０の内部の湿度が低下する。これにより、制御部９７は、防塵ケース９０の内部の湿度が比較的高い場合に、外側送風装置６１の出力を上昇させることで、防塵ケース９０の内部の湿度を低下させることができる。
【００９７】
一方、制御部９７は、防塵ケース９０の内部の湿度が比較的低い場合、外側送風装置６１の出力を低下させ、冷媒透過部９２の外側面９２ｂに送られる空気ＡＲ３の量を減少させる。冷媒透過部９２の外側面９２ｂに送られる空気ＡＲ３の量が減少することで、防塵ケース９０内から冷媒透過部９２を介して空気ＡＲ３に放湿される冷媒Ｗが減少する。単位時間当たりにおいて、空気ＡＲ３に放湿される冷媒Ｗの量が、防塵ケース９０内で気化する冷媒Ｗの量よりも少なくなると、防塵ケース９０の内部の湿度が上昇する。これにより、制御部９７は、防塵ケース９０の内部の湿度が比較的低い場合に、外側送風装置６１の出力を低下させることで、防塵ケース９０の内部の湿度を上昇させることができる。
【００９８】
以上のように、制御部９７は、湿度センサー９６から得られた防塵ケース９０の内部の湿度に基づいて外側送風装置６１を制御することで、防塵ケース９０の内部の湿度を調整できる。
【００９９】
本実施形態において制御部９７は、シャッター部９３を制御する。制御部９７は、プロジェクター１が動作している際、シャッター部９３を図１０に示す状態として冷媒透過部９２の外側面９２ｂを開放する。一方、制御部９７は、プロジェクター１の動作が停止している際、シャッター部９３を図１１に示す状態として冷媒透過部９２の外側面９２ｂを閉塞する。
【０１００】
また、制御部９７は、湿度センサー９６から得られた防塵ケース９０の内部の湿度に基づいて、シャッター部９３を制御してもよい。例えば、制御部９７は、プロジェクター１が動作している際に防塵ケース９０の内部の湿度を上昇させたい場合、シャッター部９３を図１１に示す状態として冷媒透過部９２の外側面９２ｂを閉塞する。これにより、冷媒透過部９２を介した防塵ケース９０の内部から外部への冷媒Ｗの移動を遮断できる。したがって、図１１に示す状態において光変調ユニット４Ｒ，４Ｇ，４Ｂに供給された冷媒Ｗが気化することで、防塵ケース９０の内部の湿度が上昇する。このように、制御部９７は、シャッター部９３を制御することで、防塵ケース９０の内部の湿度を上昇させることができる。
【０１０１】
本実施形態によれば、冷却装置１０は、冷媒生成部２０で生成した冷媒Ｗを冷媒伝送部５０によって冷却対象へと伝送し、吸熱反応である冷媒Ｗの気化を利用することで冷却対象から熱を奪って冷却対象を冷却することができる。冷媒Ｗの気化による冷却は、積極的に冷却対象から熱を奪えるため、空冷および液冷のように単に冷媒への伝熱によって冷却対象を冷却する場合に比べて、冷却性能に優れている。これにより、空冷および液冷と同じ冷却性能を得る場合に、空冷および液冷に比べて冷却装置１０全体を小型化しやすい。
【０１０２】
また、冷媒Ｗの気化による冷却の場合、気化する冷媒Ｗが冷却対象と接触する表面積を大きくすることで冷却性能を向上できる。そのため、冷却装置１０による冷却性能を大きくしても、騒音が大きくなることを抑制できる。以上により、本実施形態によれば、冷却性能に優れ、かつ、小型で静粛性に優れた冷却装置１０を備えたプロジェクター１が得られる。
【０１０３】
また、本実施形態によれば、冷媒生成部２０において冷媒Ｗを生成できるため、使用者が冷媒Ｗを補充する手間がなく、使用者の利便性を向上できる。また、冷媒生成部２０によって、冷媒Ｗを必要なときに必要な分だけ生成することが調整可能であるため、貯蔵タンク等に冷媒Ｗを溜めておく必要がなく、プロジェクター１の重量を軽くできる。
【０１０４】
また、例えば、冷却装置１０の冷却対象に塵および埃等が付着することを抑制するために、冷却対象を防塵ケース内に収容する場合がある。この場合、冷却対象に供給されて気化した冷媒Ｗによって防塵ケース内の湿度が上昇する。そのため、冷媒Ｗが気化しにくくなり冷却対象の冷却が不十分となる、および冷却対象に用いられる金属部品等が冷媒Ｗによって腐食しやすくなる等の不具合が生じる虞がある。また、本実施形態のように冷却対象が光変調ユニット４Ｒ，４Ｇ，４Ｂである場合には、気化した冷媒Ｗによって防塵ケース内が曇り、光変調ユニット４Ｒ，４Ｇ，４Ｂに入射する光および光変調ユニット４Ｒ，４Ｇ，４Ｂから射出される光に影響を与える虞がある。
【０１０５】
これに対して、本実施形態によれば、防塵ケース９０を構成する壁部の一部は、防塵性を有しつつ防塵ケース９０の内部と外部との間で冷媒Ｗを透過させる冷媒透過部９２である。そのため、塵および埃等が防塵ケース９０の内部に侵入することを抑制しつつ、冷媒透過部９２を介して、防塵ケース９０の内部で気化した冷媒Ｗを防塵ケース９０の外部に排出することができる。これにより、防塵ケース９０の内部の湿度が上昇することを抑制でき、上述した各不具合が生じることを抑制できる。
【０１０６】
また、本実施形態によれば、冷媒透過部９２は、多孔質部材製である。そのため、冷媒透過部９２の内側面９２ａから気化した冷媒Ｗを吸湿でき、吸湿した冷媒Ｗを冷媒透過部９２の外側面９２ｂから防塵ケース９０の外部に放湿できる。また、塵および埃等の他、煙が防塵ケース９０の内部に侵入することも好適に抑制できる。
【０１０７】
また、本実施形態によれば、吸放湿部材４０によって第１送風装置６０から送られる空気ＡＲ１に含まれた水蒸気を吸湿でき、吸放湿部材４０によって吸湿した水分を第２送風装置２３によって送られる空気ＡＲ２内に水蒸気として放湿できる。そして、熱交換部３０によって、空気ＡＲ２に水蒸気として放湿された水分を凝縮させて冷媒Ｗを生成することができる。これにより、本実施形態によれば、プロジェクター１内の雰囲気中から冷媒Ｗを生成することができる。
【０１０８】
また、例えば、冷媒生成部２０において、第２送風装置２３から熱交換部３０に送られる空気ＡＲ２の湿度が比較的低い場合、熱交換部３０が冷却されても、冷媒Ｗが生成されにくい場合がある。熱交換部３０に送られる空気ＡＲ２の湿度は、例えば、プロジェクター１の外部の空気等が混ざり込むような場合に、低下する場合がある。このような場合、冷媒生成部２０の冷媒生成効率が低下する。
【０１０９】
これに対して、本実施形態によれば、冷媒生成部２０は、第２領域Ｆ２に位置する吸放湿部材４０部分と熱交換部３０とを通る循環経路２７を有する。そのため、循環経路２７を略密閉することで循環経路２７内にプロジェクター１の外部の空気が入ることを抑制でき、熱交換部３０に送られる空気ＡＲ２の湿度を比較的高い状態に維持しやすい。したがって、熱交換部３０を冷却することで、好適に冷媒Ｗを生成することができる。その結果、冷媒生成部２０の冷媒生成効率が低下することを抑制できる。
【０１１０】
また、本実施形態によれば、加熱部２２は、第２領域Ｆ２に位置する吸放湿部材４０の部分を通過する前の空気ＡＲ２を加熱する加熱本体部２２ａと、第２送風装置２３と、を有する。そのため、加熱部２２は、第２送風装置２３によって吸放湿部材４０に空気ＡＲ２を送ることで、第２領域Ｆ２に位置する吸放湿部材４０の部分を加熱することができる。これにより、加熱本体部２２ａを吸放湿部材４０から離れた位置に配置しても、加熱部２２によって吸放湿部材４０を加熱することができる。したがって、加熱部２２の構成の自由度を向上させることができる。
【０１１１】
また、本実施形態によれば、冷媒透過部９２の外側面９２ｂに空気ＡＲ３を送る外側送風装置６１が設けられている。そのため、冷媒透過部９２の外側面９２ｂに送られた空気ＡＲ３に、冷媒透過部９２に吸湿された冷媒Ｗを放湿しやすい。これにより、気化した冷媒Ｗを防塵ケース９０の外部に好適に排出することができる。
【０１１２】
また、本実施形態によれば、防塵ケース９０の内部の湿度に基づいて、冷媒透過部９２の外側面９２ｂに送る空気ＡＲ３の量を調整する制御部９７が設けられている。そのため、上述したようにして、制御部９７によって、防塵ケース９０の内部の湿度を調整できる。これにより、防塵ケース９０の内部の湿度を好適に維持することができる。したがって、例えば、プロジェクター１が多湿の環境下に設置される等の場合であっても、防塵ケース９０の内部の湿度が高くなることを抑制でき、プロジェクター１を好適に使用できる。
【０１１３】
また、本実施形態によれば、冷却対象である光変調ユニット４Ｒ，４Ｇ，４Ｂに空気ＡＲ４を送る冷却送風装置６２が設けられている。そのため、空気ＡＲ４によって光変調ユニット４Ｒ，４Ｇ，４Ｂに伝送された冷媒Ｗを気化させやすく、光変調ユニット４Ｒ，４Ｇ，４Ｂをより冷却することができる。
【０１１４】
また、本実施形態によれば、冷却送風装置６２は、防塵ケース９０内の空気ＡＲ４を循環させて、冷媒透過部９２の内側面９２ａに空気ＡＲ４を送る。そのため、空気ＡＲ４に含まれる気化した冷媒Ｗを、空気ＡＲ４から冷媒透過部９２の内側面９２ａに放湿しやすい。これにより、防塵ケース９０内の冷媒Ｗを、冷媒透過部９２を介して防塵ケース９０の外部に排出しやすくできる。本実施形態では、冷媒透過部９２が多孔質部材製であるため、冷却送風装置６２によって空気ＡＲ４を冷媒透過部９２の内側面９２ａに送ることで、空気ＡＲ４に含まれる気化した冷媒Ｗを冷媒透過部９２に吸湿させやすい。
【０１１５】
また、本実施形態によれば、冷媒透過部９２の外側面９２ｂを開放する状態と、冷媒透過部９２の外側面９２ｂの全体を覆って閉塞する状態と、の間で切り替えるシャッター部９３が設けられている。そのため、プロジェクター１が停止している際に、シャッター部９３によって冷媒透過部９２の外側面９２ｂを閉塞することで、防塵ケース９０の内部の湿度が外部環境の影響を受けることを抑制できる。
【０１１６】
具体的には、プロジェクター１が多湿な環境下に設置された場合において、プロジェクター１が停止して外側送風装置６１が駆動していない場合であっても、防塵ケース９０の内部の湿度が上昇することを抑制できる。また、上述したようにして、制御部９７によって、防塵ケース９０の内部の湿度に基づいてシャッター部９３を制御することで、プロジェクター１が動作している際に、防塵ケース９０の内部の湿度を調整することもできる。
【０１１７】
また、本実施形態によれば、熱交換部３０は、第１送風装置６０から放出され、吸放湿部材４０を通過した空気ＡＲ１によって冷却される。そのため、熱交換部３０を冷却する冷却部を別途設ける必要がなく、プロジェクター１の部品点数が増加することを抑制できる。また、熱交換部３０を冷却する冷却部として送風装置を別途設けるような場合に比べて、プロジェクター１から生じる騒音が大きくなることを抑制できる。
【０１１８】
また、本実施形態によれば、冷媒生成部２０は、吸放湿部材４０を回転させるモーター２４を有する。そのため、吸放湿部材４０を一定の速度で安定して回転させることができる。これにより、第１領域Ｆ１に位置する吸放湿部材４０の部分に空気ＡＲ１から好適に水蒸気を吸湿させることができ、かつ、第２領域Ｆ２に位置する吸放湿部材４０の部分から空気ＡＲ２へと好適に水分を放湿させることができる。したがって、効率的に冷媒Ｗを生成できる。
【０１１９】
また、本実施形態によれば、冷媒伝送部５０は、毛細管現象によって冷媒Ｗを伝送する。そのため、冷媒Ｗを伝送するためにポンプ等の動力を別途用意する必要がない。これにより、プロジェクター１の部品点数が増加することを抑制でき、プロジェクター１をより小型・軽量化しやすい。
【０１２０】
また、本実施形態によれば、冷媒伝送部５０は、冷媒生成部２０と冷却対象とを接続する多孔質部材製の接続部５４を有する。そのため、冷媒Ｗを接続部５４に吸収させて毛細管現象によって伝送することができる。
【０１２１】
また、本実施形態によれば、冷媒伝送部５０は、第２蓋部３３の内部に設けられた第２捕捉部５２を有する。第２捕捉部５２は、接続部５４と接続されている。そのため、第２蓋部３３の内部に溜まった冷媒Ｗを第２捕捉部５２で吸収して毛細管現象によって接続部５４に伝送することができる。これにより、生成した冷媒Ｗを無駄なく冷却対象へと送りやすい。
【０１２２】
また、本実施形態によれば、冷媒伝送部５０は、第１蓋部３２の内部に設けられた第１捕捉部５１と、第１捕捉部５１と第２捕捉部５２とを接続する第３捕捉部５３と、を有する。これにより、第１蓋部３２の内部に溜まった冷媒Ｗを第１捕捉部５１で吸収して、毛細管現象によって第３捕捉部５３を介して第２捕捉部５２に伝送することができる。したがって、第１蓋部３２の内部に溜まった冷媒Ｗを第２捕捉部５２から接続部５４に伝送して、冷却対象に伝送することができる。そのため、生成した冷媒Ｗをより無駄なく冷却対象へと送りやすい。
【０１２３】
また、本実施形態によれば、第３捕捉部５３は、配管部３１ａの内部を通る。そのため、配管部３１ａの内部に溜まった冷媒Ｗを第３捕捉部５３で吸収して、第２捕捉部５２および接続部５４を介して冷却対象へと伝送することができる。したがって、生成した冷媒Ｗをより無駄なく冷却対象へと送りやすい。
【０１２４】
また、本実施形態によれば、接続部５４の幅は、例えば、第１捕捉部５１の幅、第２捕捉部５２の幅、および第３捕捉部５３の幅よりも大きい。そのため、接続部５４の幅を比較的大きくしやすく、接続部５４によって伝送できる冷媒Ｗの量を多くできる。したがって、冷媒伝送部５０によって冷媒Ｗを冷却対象に送りやすく、冷却対象をより冷却しやすい。
【０１２５】
また、一方で、第１捕捉部５１の幅、第２捕捉部５２の幅、および第３捕捉部５３の幅を比較的小さくしやすい。そのため、第１捕捉部５１と第２捕捉部５２と第３捕捉部５３とによって保持される冷媒Ｗの量を少なくできる。これにより、第１捕捉部５１と第２捕捉部５２と第３捕捉部５３とによって保持されたまま、熱交換部３０の内部に残る冷媒Ｗの量を少なくでき、生成した冷媒Ｗをより無駄なく冷却対象へと送りやすい。
【０１２６】
また、本実施形態によれば、冷却対象である光変調ユニット４Ｒ，４Ｇ，４Ｂに設けられ、冷媒Ｗを保持する冷媒保持部７１が設けられる。そのため、光変調ユニット４Ｒ，４Ｇ，４Ｂに伝送された冷媒Ｗを、冷媒Ｗが気化するまで冷媒保持部７１によって光変調ユニット４Ｒ，４Ｇ，４Ｂに対して保持しておくことができる。これにより、生成した冷媒Ｗを無駄なく利用しやすく、冷却装置１０の冷却性能をより向上させることができる。
【０１２７】
また、本実施形態によれば、冷媒保持部７１は、冷却対象である光変調ユニット４Ｒ，４Ｇ，４Ｂの面に取り付けられ、かつ、多孔質部材製である。そして、冷媒保持部７１の少なくとも一部は、積層方向の冷媒保持部７１側から視て、露出している。そのため、冷媒保持部７１の露出した部分から冷媒Ｗを気化させやすく、冷却装置１０の冷却性能をより向上させることができる。また、冷媒保持部７１が多孔質部材製であるため、毛細管現象によって、冷媒保持部７１が設けられた冷却対象の面上に均一に冷媒Ｗを行き渡らせやすく、より冷却対象を冷却しやすい。
【０１２８】
また、例えば、接着剤によって冷媒保持部７１を保持フレーム８０に固定する場合、接着剤が冷媒保持部７１に吸収されて、多孔質部材製である冷媒保持部７１の孔が塞がれる場合がある。そのため、冷媒保持部７１に冷媒Ｗが吸収されにくくなり、冷媒保持部７１によって冷媒Ｗを保持しにくくなる場合がある。
【０１２９】
これに対して、本実施形態によれば、冷媒保持部７１を保持フレーム８０との間で挟んで固定する固定部材７２が設けられている。そのため、接着剤を使用することなく、冷媒保持部７１を保持フレーム８０に対して固定することができる。これにより、冷媒保持部７１によって冷媒Ｗを保持しにくくなることを抑制できる。また、本実施形態では、固定部材７２は金属製である。そのため、固定部材７２は、熱伝導率が比較的高く、冷却されやすい。したがって、第１送風装置６０からの空気ＡＲ１および冷媒Ｗの気化によって固定部材７２の温度が低下しやすく、固定部材７２と接触する冷却対象をより冷却しやすい。
【０１３０】
また、本実施形態によれば、冷媒保持部７１は、保持フレーム８０における光変調装置４ＧＰの光入射側の面に設けられている。そのため、冷媒保持部７１から気化した冷媒Ｗの水蒸気が、光変調装置４ＧＰから光合成光学系５に射出される光に影響を与えることを抑制できる。これにより、プロジェクター１から投射される画像にノイズが生じることを抑制できる。
【０１３１】
また、本実施形態によれば、冷媒保持部７１は、複数設けられた光変調ユニット４Ｒ，４Ｇ，４Ｂにそれぞれ設けられ、複数の冷媒保持部７１同士を互いに連結する連結部７３ａ，７３ｂが設けられている。そのため、冷媒伝送部５０を１つの冷媒保持部７１に接続させることで、他の冷媒保持部７１にも冷媒Ｗを伝送することができる。これにより、プロジェクター１の内部における冷媒伝送部５０の引き回しを簡単化できる。
【０１３２】
また、本実施形態によれば、連結部７３ａ，７３ｂには、連結部７３ａ，７３ｂをそれぞれ覆う被覆部７４が設けられている。そのため、連結部７３ａ，７３ｂを伝って移動する冷媒Ｗが連結部７３ａ，７３ｂにおいて気化することを抑制できる。これにより、冷媒Ｗが冷却対象である光変調ユニット４Ｒ，４Ｇ，４Ｂの冷却に寄与せずに気化することを抑制でき、生成した冷媒Ｗが無駄になることを抑制できる。
【０１３３】
なお、本実施形態においては、連結部７３ａ，７３ｂと同様に、接続部５４が被覆されていてもよい。この構成によれば、冷却対象に伝送する間に冷媒Ｗが気化することを抑制できる。そのため、冷却対象に効率よく冷媒Ｗを伝送でき、かつ、生成した冷媒Ｗが無駄になることをより抑制できる。接続部５４および連結部７３ａ，７３ｂは、例えば、チューブ等によって周囲を被覆されてもよい。また、接続部５４および連結部７３ａ，７３ｂは、表面に気化を抑制するコーティング処理が施されてもよい。
【０１３４】
なお、本実施形態においては、下記の構成を採用することもできる。以下の説明において、上記と同様の構成については、適宜同一の符号を付す等により説明を省略する場合がある。
【０１３５】
プロジェクター１は、図１０に二点鎖線で示すように、防塵ケース９０の内部に収容される吸湿部材１９８を備えてもよい。吸湿部材１９８は、防塵ケース９０の内部において気化した冷媒Ｗを吸湿することができる。図１０では、吸湿部材１９８は、例えば、第４循環ダクト９４ｂの内部に配置されている。吸湿部材１９８は、例えば、シリカゲル、ゼオライト等である。この構成によれば、吸湿部材１９８によって防塵ケース９０の内部の湿度を低下できるため、防塵ケース９０の内部の湿度が高くなることをより抑制できる。
【０１３６】
外側送風装置６１によって冷媒透過部９２の外側面９２ｂに送られる空気ＡＲ３は、外側面９２ｂに送られる前に、上述した吸湿部材１９８等のような吸湿部材によって、水分が吸湿されてもよい。この場合、比較的乾燥した空気ＡＲ３を冷媒透過部９２の外側面９２ｂに送ることができるため、空気ＡＲ３に、好適に防塵ケース９０の内部の冷媒Ｗを放湿できる。これにより、防塵ケース９０の内部において気化した冷媒Ｗをより好適に防塵ケース９０の外部に排出することができる。
【０１３７】
第１送風装置６０は、第１領域Ｆ１に位置する吸放湿部材４０の部分を通過させた後の空気ＡＲ１を冷媒透過部９２の外側面９２ｂに送ってもよい。吸放湿部材４０を通過した後の空気ＡＲ１は、水分が吸放湿部材４０に放湿されて比較的乾燥した状態となっている。そのため、吸放湿部材４０を通過した後の空気ＡＲ１を冷媒透過部９２の外側面９２ｂに送ることで、冷媒透過部９２の外側面９２ｂから空気ＡＲ１に、好適に防塵ケース９０の内部の冷媒Ｗを放湿できる。これにより、防塵ケース９０の内部において気化した冷媒Ｗをより好適に防塵ケース９０の外部に排出することができる。
【０１３８】
この構成において、第１送風装置６０は、例えば、吸湿ダクト９５内に空気ＡＲ１を送る。また、この構成において第１送風装置６０が冷媒透過部９２の外側面９２ｂに送る空気ＡＲ１は、冷却ダクト２１に流入する前の空気ＡＲ１であってもよいし、冷却ダクト２１から放出された後の空気ＡＲ１であってもよい。また、この構成において外側送風装置６１は、設けられなくてもよい。また、この構成において第１送風装置６０は、熱交換部３０に空気ＡＲ１を送らなくてもよく、熱交換部３０を冷却する送風装置が別途設けられてもよい。
【０１３９】
第１送風装置６０は、冷媒透過部９２の外側面９２ｂに接触した後の空気ＡＲ１を第１領域Ｆ１に位置する吸放湿部材４０の部分に送ってもよい。冷媒透過部９２の外側面９２ｂに接触することで、空気ＡＲ１には冷媒透過部９２を介して防塵ケース９０の内部の冷媒Ｗが放湿される。そのため、冷媒透過部９２の外側面９２ｂに接触した後の空気ＡＲ１は、比較的多くの冷媒Ｗが含まれた状態となっている。これにより、冷媒透過部９２の外側面９２ｂに接触した後の空気ＡＲ１を吸放湿部材４０に送ることで、吸放湿部材４０に好適に冷媒Ｗを放湿することができる。したがって、冷媒生成部２０の冷媒生成効率を向上できる。この構成において第１送風装置６０は、例えば、吸湿ダクト９５内に空気ＡＲ１を送る。また、この構成において外側送風装置６１は、設けられなくてもよい。
【０１４０】
冷媒透過部９２は、図１２に示す冷媒透過部１９２のような構成であってもよい。図１２は、本実施形態の他の一例である冷媒透過部１９２の一部を示す図である。冷媒透過部１９２は、図１２に示すように、本体部１９２ｃと、複数の第１突起部１９２ｄと、複数の第２突起部１９２ｅと、を有する。本体部１９２ｃは、上述した冷媒透過部９２と同様の形状である。
【０１４１】
第１突起部１９２ｄは、本体部１９２ｃの外側面に設けられている。図１２では、第１突起部１９２ｄは、幅方向Ｙの一方側（＋Ｙ側）に突出している。複数の第１突起部１９２ｄは、光軸方向Ｘおよび幅方向Ｙのそれぞれに沿って並んで配置されている。
【０１４２】
第２突起部１９２ｅは、本体部１９２ｃの内側面に設けられている。図１２では、第２突起部１９２ｅは、幅方向Ｙの他方側（−Ｙ側）に突出している。第２突起部１９２ｅは、光軸方向Ｘおよび幅方向Ｙのそれぞれに沿って並んで配置されている。
冷媒透過部１９２のその他の構成は、上述した冷媒透過部９２のその他の構成と同様である。
【０１４３】
図１２の構成によれば、本体部１９２ｃの外側面に第１突起部１９２ｄが設けられているため、冷媒透過部１９２の外側面１９２ｂの表面積を大きくできる。これにより、冷媒透過部１９２の外側面１９２ｂから空気ＡＲ３に冷媒Ｗを放湿させやすくできる。したがって、冷媒透過部１９２を介して、防塵ケース９０の内部の冷媒Ｗをより外部に排出しやすく、防塵ケース９０の内部の湿度が高くなることをより抑制できる。
【０１４４】
また、図１２の構成によれば、本体部１９２ｃの内側面に第２突起部１９２ｅが設けられているため、冷媒透過部１９２の内側面１９２ａの表面積を大きくできる。これにより、冷媒透過部１９２の内側面１９２ａから防塵ケース９０の内部の冷媒Ｗを吸湿させやすい。したがって、冷媒透過部１９２を介して、防塵ケース９０の内部の冷媒Ｗをより外部に排出しやすく、防塵ケース９０の内部の湿度が高くなることをより抑制できる。
【０１４５】
＜第２実施形態＞
本実施形態は、第１実施形態に対して、冷媒透過部２９２からの放湿が、吸放湿部材２４０に対して行われる点において異なる。なお、上述した実施形態と同様の構成については、適宜同一の符号を付す等により説明を省略する場合がある。図１３は、本実施形態の防塵ケース２９０の一部を示す図である。図１４は、本実施形態の防塵ケース２９０の一部を示す図であって、図１３におけるＸＩＶ−ＸＩＶ断面図である。
【０１４６】
本実施形態の防塵ケース２９０は、図１３に示すように、ケース本体２９１と、冷媒透過部２９２と、を有する。本実施形態において冷媒透過部２９２は、ケース本体２９１における回転軸方向ＤＲの他方側（−ＤＲ側）の壁部２９１ａに設けられている。冷媒透過部２９２は、壁部２９１ａのうち延伸方向ＤＥの他方側（−ＤＥ側）の端部に形成された貫通孔に嵌め込まれている。冷媒透過部２９２は、図１４に示すように、回転軸方向ＤＲに沿って視て、略半円形状である。冷媒透過部２９２のその他の構成は、第１実施形態の冷媒透過部９２のその他の構成と同様である。防塵ケース２９０のその他の構成は、第１実施形態の防塵ケース９０のその他の構成と同様である。
【０１４７】
本実施形態の冷媒生成部２２０において吸放湿部材２４０は、図１３および図１４に示すように、第１領域Ｆ１ａに位置する部分が防塵ケース２９０の外部において冷媒透過部２９２と間隔を空けて対向している。言い換えれば、吸放湿部材２４０と冷媒透過部２９２との間には隙間が設けられ、当該隙間を介して吸放湿部材２４０と冷媒透過部２９２とが対向している。本実施形態において第１領域Ｆ１ａは、図１４に示すように、回転軸Ｒよりも延伸方向ＤＥの他方側（−ＤＥ側）に位置し、かつ、回転軸Ｒよりも厚さ方向ＤＴの他方側（−ＤＴ側）に位置する領域Ｆ１ｂと、回転軸Ｒよりも延伸方向ＤＥの一方側（＋ＤＥ側）に位置する領域Ｆ１ｃと、を含む。領域Ｆ１ｂは、図１４において回転軸Ｒよりも下側かつ左側に位置する領域である。領域Ｆ１ｃは、図１４において回転軸Ｒよりも上側に位置する領域である。
【０１４８】
本実施形態において吸放湿部材２４０は、第１領域Ｆ１ａのうち領域Ｆ１ｃに位置する部分が、冷媒透過部２９２の外側面２９２ｂと回転軸方向ＤＲに対向している。吸放湿部材２４０は、領域Ｆ１ｃに位置する部分のほぼ全体が防塵ケース２９０の外側面と対向している。図１４に示すように、回転軸方向ＤＲに沿って視て、吸放湿部材２４０は、冷媒透過部２９２の全体と重なっている。第１領域Ｆ１ａにおける領域Ｆ１ｂに位置する吸放湿部材２４０の部分には、第１送風装置６０からの空気ＡＲ１が通される。
【０１４９】
吸放湿部材２４０のうち第２領域Ｆ２ａに位置する部分には、循環経路２７内を循環する空気ＡＲ２が通される。本実施形態において第２領域Ｆ２ａは、回転軸Ｒよりも延伸方向ＤＥの他方側（−ＤＥ側）に位置し、かつ、回転軸Ｒよりも厚さ方向ＤＴの一方側（＋ＤＴ側）に位置する領域である。第２領域Ｆ２ａは、図１４において回転軸Ｒよりも下側かつ右側に位置する領域である。第１領域Ｆ１ａの領域Ｆ１ｂおよび第２領域Ｆ２ａは、図１４において第１領域Ｆ１ａの領域Ｆ１ｃの下側に位置する領域である。
【０１５０】
本実施形態において吸放湿部材２４０は、回転軸方向ＤＲの他方側（−ＤＲ側）から視て、回転軸Ｒを中心として時計回りに回転する。領域Ｆ１ｃは、領域Ｆ１ｂに対して、吸放湿部材２４０が回転する向きの進行側に連続して設けられている。すなわち、回転する吸放湿部材２４０の部分は、第１領域Ｆ１ａにおいて、領域Ｆ１ｂから領域Ｆ１ｃに移動する。これにより、回転する吸放湿部材２４０の部分は、第１送風装置６０から送られる空気ＡＲ１が通過した後に、冷媒透過部２９２と対向する位置に移動する。
【０１５１】
吸放湿部材２４０のその他の構成は、第１実施形態の吸放湿部材４０のその他の構成と同様である。冷媒生成部２２０のその他の構成は、第１実施形態の冷媒生成部２０のその他の構成と同様である。
【０１５２】
本実施形態によれば、吸放湿部材２４０は、第１領域Ｆ１ａに位置する部分が防塵ケース２９０の外部において冷媒透過部２９２と間隔を空けて対向している。そのため、防塵ケース２９０の内部において気化し、内側面２９２ａから冷媒透過部２９２に吸湿された冷媒Ｗを、冷媒透過部２９２の外側面２９２ｂから吸放湿部材２４０に放湿できる。これにより、防塵ケース２９０の内部の冷媒Ｗを外部に排出しつつ、吸放湿部材２４０に好適に冷媒Ｗを放湿することができる。したがって、防塵ケース２９０の内部の湿度が高くなることを抑制しつつ、冷媒生成部２２０の冷媒生成効率を向上できる。また、吸放湿部材２４０が冷媒透過部２９２に対して間隔を空けて配置されるため、吸放湿部材２４０が回転する際、吸放湿部材２４０が冷媒透過部２９２に擦れることがない。したがって、吸放湿部材２４０を回転させやすい。
【０１５３】
また、本実施形態によれば、第１実施形態と同様に、第１領域Ｆ１ａに位置する吸放湿部材２４０の部分には、第１送風装置６０から空気ＡＲ１が送られる。そのため、吸放湿部材２４０には、空気ＡＲ１と冷媒透過部２９２との両方から冷媒Ｗ（水蒸気）が放湿される。これにより、冷媒生成部２２０の冷媒生成効率をより向上できる。
【０１５４】
また、本実施形態によれば、回転する吸放湿部材２４０の部分は、第１送風装置６０から送られる空気ＡＲ１が通過した後に、冷媒透過部２９２と対向する位置に配置される。例えば、第１送風装置６０から送られる空気ＡＲ１の量が比較的多く、空気ＡＲ１から比較的多くの冷媒Ｗ（水蒸気）が吸放湿部材２４０の部分に放湿された場合、吸放湿部材２４０の部分が吸湿可能な冷媒Ｗの量は比較的少なくなる。そのため、吸放湿部材２４０が冷媒透過部２９２と対向する位置に配置されていても、冷媒透過部２９２の外側面２９２ｂから吸湿できる冷媒Ｗの量は、比較的少なくなる。一方、第１送風装置６０から送られる空気ＡＲ１の量が比較的少なく、空気ＡＲ１から比較的少ない冷媒Ｗ（水蒸気）が吸放湿部材２４０の部分に放湿された場合、吸放湿部材２４０の部分が吸湿可能な冷媒Ｗの量は比較的多くなる。そのため、吸放湿部材２４０が冷媒透過部２９２と対向する位置に配置された際に、冷媒透過部２９２の外側面２９２ｂから吸湿できる冷媒Ｗの量は、比較的多くなる。
【０１５５】
これにより、第１送風装置６０から送られる空気ＡＲ１が通過した後に、吸放湿部材２４０の部分を冷媒透過部２９２と対向する位置に配置させることで、空気ＡＲ１の量を調節して、冷媒透過部２９２から吸放湿部材２４０の部分に放湿される冷媒Ｗの量を調整できる。したがって、第１送風装置６０から送られる空気ＡＲ１の量を調整することで、防塵ケース２９０の内部から排出される冷媒Ｗの量を調節することができ、防塵ケース２９０の内部の湿度を調整できる。
【０１５６】
なお、本実施形態においては、下記の構成を採用することもできる。
本実施形態において第１送風装置６０は、設けられなくてもよい。この場合であっても、吸放湿部材２４０によって、冷媒透過部２９２を介して防塵ケース２９０の内部の冷媒Ｗを外部に排出できる。また、本実施形態においても、第１実施形態と同様に、冷媒透過部２９２の外側面２９２ｂに空気を送る外側送風装置が設けられてもよい。
【０１５７】
また、吸放湿部材２４０と冷媒透過部２９２との間隔は、冷媒透過部２９２に吸湿された冷媒Ｗが吸放湿部材２４０に放湿されるならば、特に限定されない。吸放湿部材２４０と冷媒透過部２９２との間隔は、例えば、吸放湿部材２４０の回転軸方向ＤＲの寸法および冷媒透過部２９２の回転軸方向ＤＲの寸法よりも小さい。吸放湿部材２４０と冷媒透過部２９２との間隔は、小さいほど好ましい。
【０１５８】
また、吸放湿部材２４０と冷媒透過部２９２とは、互いに接触してもよい。また、例えば、防塵ケースに凹部が設けられ、当該凹部に吸放湿部材２４０の一部が収容されてもよい。この場合、当該凹部の内側面の少なくとも一部は、冷媒透過部の外側面で構成されており、吸放湿部材２４０は、当該凹部に一部が収容されることで冷媒透過部と間隔を空けて対向してもよいし、当該凹部に一部が収容されることで冷媒透過部と接触してもよい。
【０１５９】
本発明の実施形態は、上述した各実施形態に限られず、下記の構成を採用することもできる。
冷媒透過部の構成は、上述した各実施形態の構成に限られない。冷媒透過部は、防塵性を有しつつ、防塵ケースの内部と外部との間で冷媒Ｗを透過させることが可能であれば、特に限定されない。冷媒透過部は、例えば、フィルター、浸透膜等であってもよい。冷媒透過部は、複数設けられてもよい。この場合、防塵ケースには、例えば、第１実施形態の冷媒透過部９２と、第２実施形態の冷媒透過部２９２と、が設けられてもよい。また、冷媒透過部は、多孔質部材の層が互いに空間を空けて複数層配置されることで構成されてもよい。防塵ケースの内部の空気は、循環しなくてもよい。すなわち、冷却送風装置は、設けられなくてもよい。シャッター部は、設けられなくてもよい。
【０１６０】
防塵ケースにおける冷媒透過部の位置は、特に限定されない。第１実施形態において冷媒透過部９２は、防塵ケース９０の幅方向Ｙの一方側（＋Ｙ側）に位置する壁部９１ａに設けられていたが、これに限られない。例えば、冷媒透過部は、防塵ケースの上下方向Ｚの一方側（＋Ｚ側）に位置する壁部に設けられていてもよい。この場合、第４循環ダクトおよび吸湿部材も、防塵ケースの内部のうち上下方向Ｚの一方側（＋Ｚ側）の部分に配置される。
【０１６１】
加熱部は、上述した実施形態の構成に限られない。加熱部は、加熱本体部として他の熱源によって加熱されるヒートシンクを有してもよい。この場合、加熱部のヒートシンクは、光源装置からの排気によって加熱されてもよい。加熱部は、吸放湿部材に接触して吸放湿部材を加熱する構成であってもよい。この場合、加熱部は、吸放湿部材を通過する前の空気を加熱しなくてもよい。
【０１６２】
冷媒生成部の構成は、上述した各実施形態の構成に限られない。冷媒生成部は、冷媒を生成できるならば、特に限定されない。例えば、冷媒生成部は、水素電池等の燃料電池を有してもよい。この場合、例えば、プロジェクターに電力を供給することで燃料電池から生成される水を冷媒として利用することができる。また、冷媒は、冷却対象を冷却できるならば、特に限定されず、水以外であってもよい。また、生成される冷媒は、液体に限られず、例えば、固体であってもよい。この場合、冷却対象に伝送される間に液体に変化してもよいし、固体のまま冷却対象に伝送されてもよい。冷媒が固体のまま冷却対象に伝送された場合、冷媒は、直接気体へと昇華することで冷却対象を冷却してもよいし、液体に融解した後に気化して冷却対象を冷却してもよい。
【０１６３】
熱交換部は、冷却されることで熱交換部に流入した空気から冷媒を生成できるならば、特に限定されない。熱交換部は、第１送風装置以外の装置によって冷却されてもよい。吸放湿部材を回転させる駆動部は、モーターに限られず、特に限定されない。吸放湿部材を回転させる駆動部は、吸放湿部材に送風する送風装置であってもよい。この場合、例えば、吸放湿部材には風力により回転する羽根が設けられており、吸放湿部材は、駆動部としての送風装置から風力を得ることで回転する。当該駆動部としての送風装置は、例えば、上述した実施形態の第１送風装置６０であってもよい。
【０１６４】
冷媒伝送部の構成は、上述した実施形態の構成に限られない。冷媒伝送部は、冷媒を冷却対象に伝送できるならば、特に限定されない。冷媒伝送部は、冷媒を伝送するポンプとポンプによって伝送される冷媒が通る配管とを有してもよい。また、冷媒伝送部は、例えば、重力を利用して冷却対象に冷媒を伝送してもよい。
【０１６５】
冷却促進部の構成は、上述した実施形態の構成に限られない。冷却促進部は、冷却対象に伝送された冷媒による冷却対象の冷却を促進できるならば、特に限定されない。例えば、冷却促進部の冷媒保持部は、冷却対象の表面に加工等によって形成された微細な凹凸であってもよい。この場合、凹凸によって冷媒が保持される。また、冷媒保持部は、冷却対象の表面に設けられた親水性コート等であってもよい。
【０１６６】
上述した各実施形態において冷却対象は、光変調ユニットとしたが、これに限られない。冷却対象は、光変調装置と、光変調ユニットと、光源装置と、光源装置から射出された光の波長を変換する波長変換素子と、光源装置から射出された光を拡散する拡散素子と、光源装置から射出された光の偏光方向を変換する偏光変換素子とのうちの少なくとも一つを含んでもよい。この構成によれば、プロジェクターの各部を上述したのと同様に、冷却することができる。
【０１６７】
上記実施形態において、透過型のプロジェクターに本発明を適用した場合の例について説明したが、本発明は、反射型のプロジェクターにも適用することも可能である。ここで、「透過型」とは、液晶パネル等を含む光変調装置が光を透過するタイプであることを意味する。「反射型」とは、光変調装置が光を反射するタイプであることを意味する。なお、光変調装置は、液晶パネル等に限られず、例えばマイクロミラーを用いた光変調装置であってもよい。
【０１６８】
上記実施形態において、３つの光変調装置を用いたプロジェクターの例を挙げたが、本発明は、１つの光変調装置のみを用いたプロジェクター、４つ以上の光変調装置を用いたプロジェクターにも適用可能である。
【０１６９】
上記説明した各構成は、相互に矛盾しない範囲内において、適宜組み合わせることができる。
【符号の説明】
【０１７０】
１…プロジェクター、２…光源装置、４Ｒ，４Ｇ，４Ｂ…光変調ユニット（冷却対象）、４ＲＰ，４ＧＰ，４ＢＰ…光変調装置、６…投射光学装置、１０…冷却装置、２０，２２０…冷媒生成部、２２…加熱部、２３…第２送風装置、３０…熱交換部、４０，２４０…吸放湿部材、５０…冷媒伝送部、６０…第１送風装置、６１…外側送風装置、６２…冷却送風装置、９０，２９０…防塵ケース、９２，１９２，２９２…冷媒透過部、９３…シャッター部、９７…制御部、１９８…吸湿部材、Ｆ１，Ｆ１ａ…第１領域、Ｆ２，Ｆ２ａ…第２領域、Ｗ…冷媒
【図１】
2020149006.tif 000003
【図２】
2020149006.tif 000004
【図３】
2020149006.tif 000005
【図４】
2020149006.tif 000006
【図５】
2020149006.tif 000007
【図６】
2020149006.tif 000008
【図７】
2020149006.tif 000009
【図８】
2020149006.tif 000010
【図９】
2020149006.tif 000011
【図１０】
2020149006.tif 000012
【図１１】
2020149006.tif 000013
【図１２】
2020149006.tif 000014
【図１３】
2020149006.tif 000015
【図１４】
2020149006.tif 000016